【手続補正書】
【提出日】平成16年11月26日(2004.11.26)
【手続補正１】
【補正対象書類名】明細書
【補正対象項目名】全文
【補正方法】変更
【補正の内容】
【書類名】  明細書
【発明の名称】  燃料噴射弁
【特許請求の範囲】
【請求項1】
軸方向に往復動する可動弁体と、
当該可動弁体を収容するノズル部と、
当該ノズル部に設けられ、その一側平面部に前記可動弁体を受ける円錐状の凹面を備え、他側の平面部に燃料噴射口が開口する突起部を備え、さらに前記円錐状の凹面の下流端と前記燃料噴射口とをつなぐオリフィスとを有する弁座部材と、
前記ノズル部の前記可動弁体の周囲で前記弁座部材の上流に設けられ、燃料を前記円錐状の凹面に向かって導入する複数の燃料旋回溝を形成する部材と、
を有する筒内噴射式エンジン用の燃料噴射弁。
【請求項２】
請求項１に記載したものにおいて、前記オリフィスが前記可動弁体の往復動軸線に対して傾斜している筒内噴射式エンジン用の燃料噴射弁。
【請求項３】
請求項１に記載したものにおいて、前記突起が半球状である筒内噴射式エンジン用の燃料噴射弁。
【請求項４】
請求項１に記載したものにおいて、前記燃料噴射口が前記オリフィスの中心軸に直角に交差する面に対して傾斜した面の中に開口している筒内噴射式エンジン用の燃料噴射弁。
【請求項５】
請求項４に記載したものにおいて、前記平坦な面が前記可動弁体の往復動軸線に対して傾斜している筒内噴射式エンジン用の燃料噴射弁。
【請求項６】
請求項１に記載したものにおいて、前記弁座部材の他側の平面部からの前記突起の最大突出寸法が前記オリフィスの寸法より短い筒内噴射式エンジン用の燃料噴射弁。
【請求項７】
請求項３に記載したものにおいて、前記半球状突起の中心からずれた位置に前記燃料噴射口が形成されている筒内噴射式エンジン用の燃料噴射弁。
【請求項８】
請求項１に記載したものにおいて、前記弁座部材の前記一側平面部の上流に燃料旋回素子が設けられており、当該燃料旋回素子と前記弁座部材の前記一側平面部との間に前記複数の燃料旋回溝が形成されている筒内噴射式エンジン用の燃料噴射弁。 
【発明の詳細な説明】
【０００１】
【技術分野】
本発明はエンジンの気筒内に直接ガソリンを噴射する筒内噴射式エンジン用の燃料噴射弁（インジェクタ）に関する。
【０００２】
【従来の技術】
従来より、燃料噴射弁には、霧化性能（燃料微粒化）やスワール性能を高めるために、種々の提案がなされている。
【０００３】
例えば、特開平８−２９６５３１号公報では、バルブボディ内の下部に筒状のスワラーを設け、このスワラーの内径にニードルバルブを摺動可能に貫通させ、ニードルバルブが当接する弁座部の下流側に内面がテーパ状で底面が球状凹面をなす燃料噴射室を形成し、この燃料噴射室の底面中心から噴射孔（燃料噴射口＝オリフィス）を外部に貫通するように形成し、また、この噴射孔にはバルブボディ（燃料噴射弁本体）の軸線（中心線）に対して傾きを与えており、噴射孔の出口側に、該噴射孔に対して直角に平面部を形成している。
【０００４】
特開平７−１１９５８４号公報では、スワールノズル（ノズルボディ）に弁座上流に位置するようにしてスワールカラー（燃料旋回手段）を設け、弁座下流に逆円錐形のサックホールを設け、このサックホールの延長線上に噴射孔（燃料噴射口＝オリフィス）を設け、また、サックホールと噴射孔との中心線が一致して、この中心線がスワールノズル（燃料噴射弁本体）の軸線に対して傾きを与えてある。この従来例では、噴射孔に傾きを与えた場合であっても、スワール旋回中心線に対し直交する平面上で回転するスワールの回転中心が、噴射孔の中心線に沿う直線上の軌跡をほぼ描きながら、スワールが噴射孔に至る。このようにして、サックホール内でのスワール損失が小さくなって回転力の強いスワールが噴射孔に送られ、燃料の微粒化が促進されるとともに、噴霧角度が大きくなって燃焼室内の噴霧の広がりが良くなることで、燃焼効率が高められるとしている。
【０００５】
【発明が解決しようとする課題】
気筒内（燃焼室内）に直接燃料を噴射する内燃機関においては、燃料噴射弁により噴射される噴霧の方向、形状、流量、流速（噴霧到達距離）が点火時における燃焼室内の混合気の濃度分布に大きな影響を与え、結果的にエンジン性能を左右する。
本発明の目的は、上記の要求に応えて、広範囲の回転域で安定したエンジン性能が得られる筒内噴射式エンジン用の燃料噴射弁を提供することにある。
【０００６】
【課題を解決するための手段】
上記目的を達成するために本発明になる燃料噴射弁は、一側の平面部に可動弁体を受ける円錐状の凹面を備え、他側の平面部に燃料噴射口が開口する突起部を備え、さらに前記円錐状の凹面の下流端と前記燃料噴射口とをつなぐオリフィスとを有する弁座部材と、可動弁体の周囲で前記弁座部材の上流に設けられ、燃料を前記円錐状の凹面に向かって導入する複数の燃料旋回溝を形成する部材とを有する。
【０００７】
【発明の実施の形態】
本発明の実施の形態を図面により説明する。
【０００８】
図１は、本発明の一実施例に係り、筒内噴射式エンジン（ガソリンエンジン）に使用する燃料噴射弁の縦断面図、図２はそのノズル部を拡大して燃料噴霧の噴射状態を示す説明図、図３（ａ）は図１の燃料噴射弁に用いるノズルボディの縦断面図、図３（ｂ）はその下面図、図４は図３（ａ）の弁座部及び燃料噴射口付近を示す部分拡大図、図５はノズルボディに内装したスワールオリフィスを図２のＸ−Ｘ´線矢視方向からみた横断面図である。
【０００９】
図１に示す燃料噴射弁１は、アクチュエータとして電磁コイルを用いた燃料噴射弁の一例である。アクチュエータの磁気回路要素として固定コア２，ヨーク（ケース）３，可動コア（プランジャ）４を備える。
【００１０】
固定コア２は細長の中空筒体で軸方向にフランジ２Ａを備え、このフランジ２Ａよりも下半部がヨーク３に内装される。フランジ２Ａはヨーク３の上部開口に嵌まり込み、ヨーク３の上部開口内周縁を加圧して符号５０に示すように塑性流動させることで、固定コア２とヨーク３とを塑性結合している。なお、この結合はその他、加締めなどを用いても良い。フランジ２Ａには、電磁コイル１０のターミナル９が設けてある。
【００１１】
固定コア２は、内部に燃料通路５が軸方向に貫通して形成され、燃料通路５の一端（燃料流入側と反対側の端部）には、可動コア４のリターンスプリング６が挿入され、このリターンスプリング６によって可動コア４が弁閉方向（弁座７方向）に付勢される。固定コア２の内部には、リターンスプリング６のばね力を調整するための中空のスプリングアジャスタ８が設けてあり、このアジャスタ８の内部が燃料通路５の一部を形成している。
【００１２】
電磁コイル１０は、モールド樹脂１１で覆われ、そのコイルのボビン１０Ａ内に固定コア２の一部が挿入固定され、この固定コア２の一部と共に筒形のヨーク３内に内装されている。モールド樹脂１１は、電磁コイル１０を保護し及びリーク電流を防止する。１８は燃料がコイル組立体側に流入するのを防止するシールリングである。
【００１３】
電磁コイル１０には、ターミナル９を介して駆動用の電気信号が印加される。ターミナル９は、ヨーク３の上方に配置したモールド樹脂成形体２０内部に埋設され、その一端がコネクタ部２０Ａに位置してコネクタ端子を構成している。
【００１４】
ヨーク３の下部には、有底筒状のノズル（ノズルボディ）１５が固着してある。ノズル１５の底部には、弁座７、燃料噴射口となるオリフィス１７が設けられ、ノズル１５内に該ノズル内底に支持される燃料旋回子（以下、スワラーと称することもある）１６が配置される。スワラー１６は弁座７の上流に位置する。
【００１５】
スワラー１６は、その中央に球弁（弁体）１３のガイド孔（中央孔）１６Ａが設けられ、スワラー１６の外周及び底部にノズル１５内の燃料通路１４とガイド孔１６Ａとを連通させる燃料通路１６Ｂ，１６Ｂ′が形成してある。
【００１６】
図５にスワラー１６を図２のＸ−Ｘ′線矢視図により底部側から見た図を示しており、スワラー１６は、その外周が９０°間隔で配置した４つ円弧部１６Ｃと、円弧部間の溝部（燃料通路）１６Ｂよりなり、円弧部１６Ｃはノズル内周に密着し、溝部１６Ｂはその開口側面がノズル１５内周に被われて燃料通路を構成する。スワラー底部に形成された溝１６Ｂ′は、ノズル内周に覆われて燃料通路を構成し、スワラー中心に対して通路方向が偏心することで、燃料通路溝１６Ｂ，１６Ｂ′を通過する過程で燃料に旋回力を付与する。このようにして、燃料通路１６Ｂ´から流出して弁体１３の周囲を通過する燃料に弁座部７上流で旋回力を与える。
【００１７】
可動コア４は、先端に球弁１３を固着した中空のプランジャロッド４Ａと結合されている。プランジャロッド４Ａの側壁に燃料通孔４１が配設してある。２１は可動コア４の開方向のストロークを規制するストッパである。
【００１８】
固定コア２，ヨーク３，可動コア４は、磁性材で構成され、ロッド部４Ａ，球弁１３，ストッパ２１，スプリングアジャスタ８は非磁性材で成形される。
【００１９】
球弁１３は、電磁コイル１０の非通電時には、リターンスプリング６のばね力及び燃圧を受けて弁座７に接して閉弁状態を保持している。
【００２０】
電磁コイル１０に電気信号が印加され通電状態になると、固定コア２，ヨーク３，可動コア４で磁気回路が形成され、可動コア４が固定コア２側に磁気吸引される。また、球弁１３も可動コア４と共にスワラー１６内周にガイドされて移動し、弁座７から離れ、開弁する。
【００２１】
開弁状態になると、燃料は、図示しない燃料ポンプ、燃圧レギュレータ及びアキュームレータ等の配管機器を経由して、固定コア２に設けた燃料通路５，フィルタ２２，可動コア４内部，ロッド部４Ａに設けた内部通路，燃料通孔４１，ノズル（ノズルボディ）１５内の通路１４，スワラー１６を通り、スワラー１６で旋回力を付与されて弁座部７を有するテーパ状のホールで旋回しながらオリフィス１７を介してエンジンの気筒内に直接噴射される。
【００２２】
図２〜図４によりノズル１５の構造について説明する。
有底筒状のノズル１５の底壁１５Ａの中央部には、燃料の噴射口１７となるオリフィスと、噴射口１７の入口１７Ａの位置から上流に向けて径が拡がって球弁１３の一部を受入れ且つ弁座部７を有する拡径ホール３１とが形成される。本例では、拡径ホール３１は逆円錐形で構成されるが、その一部を曲面としてもよい。
噴射口１７を構成するオリフィスは、燃料噴射弁本体軸線Ｃに対して傾きを有し、この傾き角（偏向角）αは燃料噴射弁本体軸線Ｃを基準にして５〜１０°の範囲（ここでは、８．５°）で設定してある。
【００２３】
噴射口１７に偏向角αを与えることで、燃料噴射弁１から噴射される燃料噴霧４７（換言すれば燃料噴霧中心線）は、燃料噴射弁本体軸線Ｃを基準にして一方向（弁座部７側から噴射口１７をみて噴射口１７が偏向する方向）に偏向する。燃料噴霧１７の中心線と噴射口軸線Ｅとは、燃料噴射弁本体Ｃを基準にして偏向角がほぼ一致し５〜１０°である。
【００２４】
ノズル１５の噴射口１７の出口周縁は、本例では後述する小突起３０により形成されているが、この出口周縁３０及び噴射口出口１７Ｂは、燃料噴射弁本体軸線Ｃに非垂直な斜面をなす。ここでは、図４に示すように、出口周縁３０のうち噴射口出口１７Ｂ面より噴射側に出る斜面部３０″を斜面上り側、噴射口出口１７Ｂより反噴射側に後退する斜面部３０´を斜面下り側と定義する。噴射口出口１７Ｂを斜面にカットすることによって、少なくとも噴射口１７の長さは非軸対称となる。なお、本例では、噴射口出口１７Ｂの斜面と噴射口中心線Ｅとのなす角度を９０°としているので、噴射口出口１７Ｂの形状は真円となり、また。その出口１７Ｂのエッジ角も軸対称である。噴射口出口１７Ｂの斜面と噴射口中心線Ｅとのなす角度が非垂直（≠９０°）であれば、出口１７Ｂの形状及びエッジ角は非軸対称となり、その出口１７Ｂの斜面角度を変えることにで、所望の噴射口出口形状が得られる。
【００２５】
このように噴射口出口１７Ｂを斜面にカットすると、旋回燃料の燃料噴霧は、図２に示すように、コーン形状を呈しつつ出口周縁３０の斜面下り側３０´の方の噴霧到達距離Ｌ1及び噴霧量が大きく、斜面上り側３０″の方の噴霧到達距離Ｌ2が小さくなる噴霧パターンが得られた（Ｌ1＞Ｌ２）。また燃料噴霧量も分布もＬ１側の多く、Ｌ２側が少ないことが確認された。
【００２６】
その理由の一つとして次のようなことが考えられる。図４に示すように、噴射口１７の出口１７Ｂ及び出口周縁３０端面を斜面にすることで、噴射口１７の長さは非軸対称となり、その結果、噴射口１７のオリフィス長ｌのうち出口周縁３０の斜面上り側３０″の方のオリフィス壁面長ｌ２と斜面下り側３０′の方のオリフィス壁面長ｌ1とはｌ２＞ｌ１となり、弁座７の弁体３１の接触位置から噴射口出口１７Ｂまでの流路長Ｍも、出口周縁３０の斜面上り側３０″の方の長さＭ２と斜面下り側３０′の方の長さＭ１とがＭ２＞Ｍ１となり、旋回流の経路長Ｍが位置に応じて異なるため、圧力損失など流路壁面の影響に差が生じることである。この場合、経路長（流路長）Ｍの長い側（Ｍ２側）の損失が大きく、Ｍ２側の噴霧到達距離（貫通力，流速）も小さくなり（噴霧到達距離Ｌ２）、逆に経路長Ｍの短い側（Ｍ１側）の損失が小さく、Ｍ１側の噴霧到達距離が大きくなる（噴霧到達距離Ｌ１）。また、噴霧到達距離（噴霧速度）のほかに、燃料噴霧の流量分布に方向性をもたせることができる（Ｍ１側の燃料噴霧をＭ２側の燃料噴霧量よりも多い流量分布にすることができる）。なお、噴霧到達距離（流速分布）や噴霧流量分布に方向性を与える要素としては、そのほかに、噴射口１７の出口周縁の斜面の傾き度合いにより噴霧出口形状を変えたり、噴射口出口エッジ角度を噴射口周方向の位置に応じて異ならせたり（出口エッジ角度の非軸対称）、噴射口に傾斜角度を与えたことによる噴射口入口１７Ａのエッジ角度や形状を変化させることが考えられる。
【００２７】
すなわち本実施例の燃料噴射弁は、ノズル１５の噴射口１７から噴射される燃料噴霧４７が、燃料噴射弁本体軸線Ｃを基準にして一方向に偏向し、偏向する側の噴霧到達距離Ｌ１が大きく、偏向する側と反対側の噴霧到達距離Ｌ２が小さくなる噴霧形状（Ｌ１＞Ｌ２）に設定されている。
【００２８】
本実施例では、上記の出口周縁３０を次のようにして確保している。
【００２９】
噴射口１７を有するノズル１５の底部外面の中央に、高さが噴射口１７のオリフィス長ｌよりも短い小突起３０を形成し、噴射口１７は、燃料噴射弁本体軸線Ｃに対して傾きを有し出口１７Ｂを小突起３０の位置に形成する。このようにすることで、小突起３０が噴射口１７の出口周縁の壁部となる。小突起（出口周縁）３０の先端面は、弁座部７側から噴射口の出口１７Ｂをみて、該噴射口の偏向方向側を低く、反偏向側を高くした斜面にしてある。
【００３０】
球弁１３、弁座径（弁体が接触する位置の径）、弁座角、オリフィス（噴射口）１７、小突起３０等の仕様は次の通りである。例えば、球弁の直径２ｍｍ、弁座径（弁体が接する位置のシート径）１．４ｍｍ、弁座角９０°、オリフィス径０．６〜０．９ｍｍ、オリフィス長（オリフィス中心軸上のオリフィス長）はオリフィス径の０．３〜１．３倍、小突起３０の直径２〜３ｍｍ、オリフィス出口周縁の斜面上り壁部の高さＨ２＝０．４３〜０．８ｍｍ、斜面下り壁部の高さＨ１＝０．１〜０．４６ｍｍである。また、斜面の傾きγ＝５〜１０°（ここでは８．５°）である。
【００３１】
本例の小突起３０は、図３（ｂ）のノズルボディ底面図に示すように、小突起の中心線Ｏに垂直な面が半円周よりも大きい円弧と該円弧の両端を結ぶ弦により囲まれる輪郭よりなる。小突起３０の高さは、弦側の方を高く、弦側と反対側の方を低くして小突起先端面を斜面にしてある。噴射口１７は小突起の中心線Ｏを基準にして噴射口入口１７Ａ側が弦側に偏り噴射口出口１７Ｂ側が弦側と反対側に偏る傾斜にしてある。
【００３２】
上記のように小突起３０の輪郭を円弧と弦により構成し、この円弧と弦に噴射口１７の傾き及び小突起先端面の斜面の方向性を合わせることで、円弧と弦を目印にして、燃料噴射弁の燃料噴霧の偏向方向を知ることができるようにしてある。
【００３３】
図２，図４に示すように、本例の噴射口１７（噴射口中心線Ｅ）は燃料噴射弁本体軸線Ｃに対して傾きを持って形成されているが、燃料噴射弁本体軸線Ｃと噴射口１７の中心線Ｅとの交点Ｇが噴射口１７を構成するオリフィス内に位置する。
【００３４】
このように交点Ｇを噴射口１７内に位置させると、図４に示すように、燃料噴射口１７の入口１７Ａのエッジ角が弁座７径の中心線（弁座径中心線は燃料噴射弁本体軸線Ｃに一致する）対して非軸対称となる。この噴射口入口１７Ａの非軸対称も燃料噴霧形態に影響を及ぼすものと考えられる。
【００３５】
弁座部７に閉弁時に接する弁体１３は球形をなし、閉弁時に弁体１３の球面先端が噴射口の入口１７Ａより下の位置にあって噴射口１７内に入り込むよう設定してある。閉弁時の弁体先端は噴射口入口１７Ａと同レベル位置にあってもよい。
【００３６】
このようにすれば、開弁時の弁体１３先端面と噴射口入口１７Ａ間のデッドボリューム（遊び空間）を小さくし、旋回燃料の旋回力の減衰を極力なくして燃料を噴射することができる。燃料噴霧の旋回力を高める結果、燃料噴霧も旋回エネルギーの大きい外側が密で旋回エネルギーの小さい内側が粗な傾向のコーン形状の噴霧となり、このような形状にすることで、旋回エネルギーを有効に利用して燃料噴霧の微粒化を図ることができる。また閉弁時には残留燃料が付着しやすいデッドボリューム壁面を極力小さくすることで、残留燃料を溜りにくくし、その結果、空燃比精度を向上させる。
上記のデッドボリュームの低減による効果及び旋回エネルギーの向上は、球弁１３の先端面を燃料噴射口入口１７Ａと同レベル或いは燃料噴射口に入り込ませなくとも、実験の結果、次の関係式を満足させることで得られることが判明した。
【００３７】
すなわち、図９に示すように、弁座部７に閉弁時に接する弁体１３の先端が弁座部７下流の噴射口１７の入口１７Ａに臨み、弁体１３が弁座部７に接する位置から噴射口入口１７Ａまでの距離をｙ、弁体１３が弁座部７に接する位置から弁体先端までの距離をｚとした場合、ｙ≦２ｚである条件を満足すること。
【００３８】
噴射口１７の長さをｌ（この長さｌは、噴射口中心軸上のオリフィス長である）、噴射口の直径をｄとした場合、０．３＜ｌ／ｄ＜１．３に設定してある。ここで、ｌ／ｄの下限値を０．３としたのは、これ以上小さくなると、燃料噴霧に意図する偏向角が得られず、また、１．３以上だと圧力損失が大きく噴霧粒径が大きくなり、要求噴霧粒径（１００μｍ）を確保できなくなるためである。
【００３９】
なお、本実施例のおける燃料の旋回方向は、図５の矢印に示すように、弁座下流側からみれば反時計方向であるが、弁座上流からみれば時計方向である。このようにしたのは、噴射口１７の出口１７Ｂ及び周縁３０の先端面に斜面を設け、弁座中心軸Ｃを基準に噴射口１７の入口１７Ａを出口周縁の斜面上り側３０″に偏らせ、出口１７Ｂを出口周縁の斜面下り側３０´に偏るように噴射口１７に傾きを設けた場合には、上記のように旋回燃料に方向づけした方がそれと逆回りの旋回方向よりも良好な偏向噴霧形態が得られたためである。
【００４０】
既述したように、有底円筒形のノズル１５は、図２に示すように、スワラー１６となるチップを内装し、このチップ１６は、中央に球弁（弁体）１３のガイド孔１６Ａを有し外周及び下面に偏心した燃料通路１６Ｂ，１６Ｂ´を有するが、ノズル１５の内周面のうちノズルの内底面１５Ｂと交わるコーナー１５Ｃからチップ１６高さの中途位置でのチップ軸垂直面Ｑに交わる内周位置１５Ｄにかけての内径を拡げ、この内径を拡げた内周部１５Ｆのうちノズル１５の内底面と交わるコーナ１５Ｃをノズル内底のチップを受ける面１５Ｂより下方に位置する窪み６０にして設けた。
【００４１】
このような構成によれば、ノズル１５の内周面のうちチップ１６を内装する箇所は、内径の異なる内周面により構成され、そのうち内径の小さい方の内周面１５Ｇが内径の大きい方の内周面１５Ｆの上流に位置してチップ１６外側面の非燃料通路面（図５に示す円弧面１６Ｃ）に密着し、一方、内径の大きい方の内周面１５Ｆはノズルの内底面と交わるコーナー１５Ｃからチップ高さの中途位置でのチップ軸垂直面Ｑに交わる内周位置１５Ｄにかけて形成される。また、コーナー１５Ｃが位置する窪み６０は、内底面の周縁に形成したテーパ６１がこの内径の大きい内周面１５Ｆと交わることで形成される。径の異なる内周面１５Ｇと１５Ｆとの間の境界部１５Ｄもテーパで形成される。なお、本例では、一例として、図３に示すように、内径の小さい方のノズル内周面１５Ｇの内径ＤSをΦ５．９ｍｍ、内径の大きい方のノズル内周面１５Ｆの内径ＤLをΦ６．２ｍｍ、内径差境界位置１５Ｄのテーパ角Ｔθ1をノズル内周面を基準にして３０°、窪み６０を形成するテーパ角Ｔθ2をノズル内周面を基準にして６０°、窪み６０の深さＨDをノズル内底面を基準にして０．２６ｍｍ、拡径内周溝１５Ｆの幅Ｗを３ｍｍとした。スワラー１６の燃料通路１６Ｂ´の溝幅は０．４ｍ、溝高さは０．１９ｍｍである。
【００４２】
このような径を拡げた内周部（内周溝）１５Ｆを形成し、かつコーナー１５Ｃを窪み１６に設けることで、次のような作用，効果が得られる。
【００４３】
従来例の場合には、図１９に示すように本願発明のような拡径内周面１５Ｆを有さないために、スワラーの燃料通路が単純なエルボ形に曲がる形状であり、このような通路構造のコーナー部では強い燃料剥離が起きて流路の圧力損失を大きくしている。これに対して、本実施例品の場合には、図１８に示すように拡径内周面１５Ｆがコーナ部１５Ｃ付近の燃料流路の拡張にもたらして流速を落して剥離による圧力損失を減らすことができる。なお、燃料はコーナー部１５Ｃを通過した通路が再び絞られるので流速は回復する。また、ノズルの拡径内周部１５Ｆの入口，出口にテーパ１５Ｄ，６１を設けることにより、流路の広がり損失と細まり損失の発生を極力抑えている。
【００４４】
したがって、上記のノズル内周構造により、燃料噴霧の旋回エネルギーの向上、ひいては燃料微粒化を促進させることができる。
【００４５】
ノズル１５のうち底部外面は研磨加工し、また、燃料噴射弁本体軸線Ｃに対して非垂直面とすることで、煤付着及び燃料が付着しにくいように配慮してある。
【００４６】
図６，７は上記した本発明に係る燃料噴射弁１を筒内噴射式ガソリンエンジンの燃焼システムに適用した例を、気筒の一部を縦断面して示す説明図である。
【００４７】
図６において、４０は気筒（シリンダ）、４１は点火プラグ、４２はピストン、４３は吸気通路、４４は排気通路、４５は吸気弁、４６は排気弁である。
【００４８】
点火プラグ４１は一般に気筒４０の上部（シリンダヘッド）中心に気筒軸線Ａと一致させて取り付けてあり、この軸線Ａを挾んで、一方に吸気弁４５が、他方に排気弁４６が設けてある。
【００４９】
燃料噴射弁１は、気筒４０の上部位置で、吸気弁４５寄りの気筒周縁近くに、気筒軸線Ａに垂直な面Ｂに対して斜めになる適宜角度で取り付けられている。このようにして、燃料噴射弁１は燃料噴射弁本体軸線Ｃが気筒軸線Ａに斜めに交差する角度で取り付けられる。
【００５０】
燃料噴射弁１の気筒４０への取り付けは、噴射口１７のうち噴射方向に向いてみたときに偏向する側となる方（例えば、図２の図面では噴射口１７における図面に向かって右側の側壁３０ａ）を点火プラグ４１側に向け（上向き）、反偏向側となる方（図２の図面では噴射口１７における図面に向かって左側の側壁３０ｂ）を反点火プラグ側に向けて（下向き）設置される。
【００５１】
このような燃料噴射弁取り付けにより、燃料噴射弁１は、気筒４０内に臨む噴射口１７が上記の噴射口傾き角αを利用して燃料噴射弁本体軸線Ｃを基準にして角度αだけ点火プラグ側に偏向角を有するように設定される。噴射口１７に偏向角αを与えることで、図７に示すように燃料噴射弁１から噴射される燃料噴霧４７（換言すれば燃料噴霧中心線Ｄ）は、燃料噴射弁本体軸線Ｃを基準にして点火プラグ４１側に偏向する。燃料噴霧の中心線Ｄと噴射口軸線Ｅとは、燃料噴射弁本体Ｃにを基準にして偏向角がほぼ一致し５〜１０°である。
【００５２】
ここで、燃料噴射口１７の燃料噴射弁本体軸線Ｃに対する偏向角αを５〜１０°の範囲に設定する理由は、５°以下では燃料噴射弁１のエンジン取付角の制約から図７に示すような要求噴霧方向の角度β１（偏向噴霧の偏向角β３）を確保することができず、また、１０°以上だと噴射弁の流路損失（圧力損失）が大きくなり、要求噴霧到達距離を確保し難くなるためである。
【００５３】
本例によれば、燃料噴射口１７を点火プラグ４１側に偏向させることで、噴射される燃料噴霧４７も、燃料噴射弁本体軸線Ｃを基準にして点火プラグ４１側に図７に示すようにβ３だけ偏向させることが可能になる。偏向角β３は燃料噴射弁本体軸線Ｃと燃料噴霧４７の中心線Ｄとのなす角度である。
【００５４】
図７おける、β１は要求される目標噴霧方向の角度で、気筒軸線Ａに垂直な面Ｂと燃料噴霧中心線Ｄとのなす角度で表わされる。要求噴霧方向β１は、エンジンの形状，寸法等により決まり、必ずしも一様ではない。β２は燃料噴射弁１のエンジンへの取り付け角度であり、上記の基準面Ｂと燃料噴射弁本体軸線Ｃとのなす角度で表わされる。
【００５５】
要求噴霧方向の角度β１と燃料噴射弁取付角度β２とに角度差がある場合には、燃料噴霧の偏向角β３をβ３＝β２−β１になるように設定すれば、β１を確保することができる。
【００５６】
また、本例の燃料噴射弁１によれば、燃料噴霧４７はコーン形状を呈するが、噴霧中心線Ｄを基準にして軸対称にならず、点火プラグ４１側に偏向する側の噴霧到達距離（貫通力）Ｌ１が大きく、偏向する側と反対側（ピストン４２のキャビティ４２ａ側）の噴霧到達距離Ｌ２が小さくなる噴霧形状を得ることができる。
【００５７】
燃料噴霧を点火プラグ側に偏向させることによって、成層燃焼モード時に直接的に点火プラグ４１周辺に燃料噴霧を集中させる度合いを高める。特に、図６に示すように、燃料噴射弁１の噴射口のある位置での点火プラグ軸線（点火プラグ軸線は気筒軸線に一致する）Ａの垂直面Ｂを基準にして、燃料噴射弁１から噴射される燃料噴霧４７のうち点火プラグ寄りの方の燃料噴霧側４７´の方角が垂直面Ｂよりも点火プラグ４１側に向くように設定すれば、燃料噴霧４７のうち点火プラグ寄りの方の燃料噴霧側４７´が直接点火プラグ４１に指向して、点火プラグ４１の周りの集中的な混合気形成を促進させ、燃費節約を図りつつ混合気の着火性を確保できる。
【００５８】
また、成層燃焼モードによる燃料噴射は、エンジン燃焼室（気筒内）が高圧下の圧縮行程時に行われるため、燃料噴霧の広がりが小さくなる傾向にあるが、本実施例では燃料噴霧４７の噴霧方向を点火プラグ４１側に偏向させた分だけ燃料噴霧エリアを拡げて噴霧角θを拡げることが可能なので、燃料噴霧広がりが要求以上に小さくなるのを防いで、適度に燃料噴霧を点火プラグ周辺に集中させるためのコンパクトな噴霧が得られる。噴霧角θは、燃料噴霧４７をその中心線Ｄを通るように断面したときの断面（平面）上の噴霧広がり角である。均質燃焼モード時には、圧力の低い吸入行程時に燃料噴射が行われ、広がりのある燃料噴霧を得られるが、本発明では、噴霧方向を点火プラグ側に偏向させた分だけ今まで以上に燃料噴霧エリア（燃料噴霧角θ）をより広げることが可能になり気筒内の燃料の均質化を高める。
【００５９】
上記の点火プラグ側の偏向噴霧に加えて、図６に示すように点火プラグ側に偏向する噴霧到達距離Ｌ１を大きく、偏向する側と反対側の噴霧到達距離Ｌ２を小さくすると、到達距離の長いＬ１の方は着火性を確保する高速成分となり、また、到達距離の短いＬ２の方は、ピストンのキャビティ４２ａ側に向かうが短い分だけピストン冠面に付着するのが防止されて、未燃成分を抑制し煤排出を低減する低速成分となる。
【００６０】
この燃料噴霧形状は、燃焼サイクルにより圧力が大きく変化する気筒内（燃焼室内）での実測が困難であるために、種々の燃料噴霧形状のパターンと作り出し、この噴霧形状を大気圧下のもとであらかじめ測定して、これをエンジンに取り付け燃焼試験を行なったところ、燃圧５〜９ＭＰａ場合には、大気圧下で、噴霧偏向角（燃料噴射弁本体の中心線Ｃに対する偏向角）が点火プラグ側に５〜１０°（最適値は７°）、燃料噴霧の偏向する側の噴霧到達距離Ｌ１と偏向する側と反対側の噴霧到達距離Ｌ２との比がＬ１／Ｌ２＝１．１〜１．４、燃料噴霧角が７０〜９０°（最適値８５°）である場合に、成層燃焼モード及び均質燃焼モードの性能安定性が高く、また、アイドリング時（５５０ｒｐｍ）の成層燃焼モードにおいて、偏向噴霧なしでは平均Ａ／Ｆ＝４０で燃焼が成立しなかったのが偏向させることにより平均Ａ／Ｆ＝４０でも燃焼可能で、目標であるＣＰｉ（燃焼圧変動率）＜５％、スモーク（ＢＳＵ）＜０．３の両立も可能になった。ここで、成層燃焼モード時の平均Ａ／Ｆとは、図８に示すように、点火プラグ周辺に集中する混合気層イとその周辺の空気層ロの双方のＡ／Ｆを平均したもので、本例では混合気層イはＡ／Ｆ＝１５、空気層＝５０、平均Ａ／Ｆ＝４０といった超希薄空燃比でも良好な燃焼を実現することができた。
【００６１】
均質燃焼モードにおいても出力向上を保持しつつ、スモークを従来の１／２〜１／４と大幅に低減させることができた。
【００６２】
従って、従来に比べてより広範囲の回転域で安定したエンジン性能を得られる結果となった。
【００６３】
なお、燃料噴射弁の要求噴霧方向と取付角度が燃料噴霧の偏向なしに適合する場合には、偏向噴霧を必要とせず、この場合には、上記燃料噴霧の到達距離Ｌ１，Ｌ２の関係（Ｌ１＞Ｌ２）に重点をおいて設定すればよい。すなわち、この場合には、要求噴霧方向の角度β１と噴射弁取付角度β２とがβ１＝β２であるので、燃料噴霧の偏向設定を行わず、燃料噴霧形状は、コーン形状であるが点火プラグ寄りの方の噴霧到達距離Ｌ１が大きく、反点火プラグ寄りの噴霧到達距離Ｌ２が小さくなるよう設定する。
【００６４】
図１０に上記した燃料噴射弁１におけるノズル１５の他の態様例を示す。
【００６５】
本例では、ノズル１５の噴射口１７の出口１７Ｂ平面が噴射口の中心線Ｅの垂直面Ｒに対して傾斜している。例えば、垂直面Ｒに対する噴射口出口１７Ｂ平面のなす角度は１．５°である（すなわち、噴射口の中心線Ｅと噴射口出口平面１７Ｂのなす角度は例えば８８．５°であり、噴射口の中心線Ｅと垂直面Ｒとのなす角度より１．５°小さくしてある）。このような角度差１．５°を確保するため、噴射口軸線Ｅと噴射弁本体軸線Ｃとのなす角度αが８．５°にしてある場合には、噴射口出口平面１７Ｂ平面と噴射弁本体軸線Ｃの垂直面とのなす角度γは１０°である。
【００６６】
また、突起３０の斜面上り側３０″の高さＨ２は、例えば、０．４３ｍｍ、斜面下り側３０′の高さＨ１は０．１ｍｍである。
本例によれば、第１実施例よりも噴射口１７の経路長Ｍ１，Ｍ２の長さの差を大きくすることができ（Ｍ２＞Ｍ１）、また、噴射口１７の出口形状の任意の楕円形状及び出口エッジ角度を非軸対称とすることができ、これらの要素により、燃料噴霧到達距離Ｌ１，Ｌ２に差（Ｌ１＞Ｌ２）を与えることが可能になる。すなわち、旋回流の経路長Ｍが噴射口周方向で不等長となり、それにより圧力損失など壁面の差が生じ、加えて出口エッジ角度の差も生じるために噴射口周方向に位置で噴霧速度が異なり、経路長の長い方Ｍ２の噴霧速度が遅く、経路長の短い方Ｍ１の噴霧速度が速くなる。この傾向は噴射口出口平面１７Ｂの傾斜角度を大きくすることで強まる。噴射口出口平面１７Ｂの噴射口中心線Ｅの垂直面Ｒに対する傾斜角度を大きくするほど、噴霧量分布を流速分布（噴霧到達距離）同様に経路長の短いＭ1側を大きくすることもできる。すなわち、経路長Ｍの不等長を利用することで、噴霧速度・噴霧量分布に方向性を持たせることができ、このことを利用して、噴霧の形状、流量・流速分布を任意に変化させることができる。
【００６７】
図１１の例では、図１０の例同様に、ノズル１５の噴射口１７の出口１７Ｂ平面が噴射口中心線Ｅの垂直面Ｒに対して傾斜しているが、噴射口１７の軸線Ｅは燃料噴射弁本体Ｃ軸線に対して傾きを有さない態様のものである。
【００６８】
本例でも、噴射口１７の経路長Ｍ1，Ｍ2の長さの差を大きくすることができ（Ｍ２＞Ｍ１）、また、噴射口１７の出口形状を変化させ及び出口エッジ角度を非軸対称とすることができ、これらの要素により、燃料噴霧到達距離Ｌ1，Ｌ2や噴霧分布に差（Ｌ１＞Ｌ２）を与えることが可能になる。ただし、偏向噴霧ではないので、燃料噴射弁１の取付角度だけで要求噴霧方向の角度が得られる場合に好適である。
【００６９】
図１２の例では、ノズル１５には、既述した各実施例と同じく噴射口１７となるオリフィスと、該噴射口１７の入口１７Ａの位置から上流に向けて径が拡がって弁体（球弁）１３の一部を受入れ且つ弁座部７を有する逆円錐形ホール（燃料旋回空間）３１とが形成されているが、次の点で異なる。
【００７０】
噴射口出口１７Ｂの平面と噴射口中心線Ｅの垂直面Ｒに角度差を与えず、また、噴射口１７は噴射弁本体軸線Ｃに対して傾きを有さず、噴射口周縁となる突起３０の先端面（噴射口出口平面）も噴射弁本体軸線Ｃ及び噴射口１７の中心線ＥＢに対して垂直面であり、斜面とはしていない。
【００７１】
また、噴射口１７が噴射弁本体軸線Ｃに対してオフセットしている。このオフセットにより、噴射口１７は、逆円錐形ホール３１の中心線及び球弁１３の軸線に対してもオフセットすることになる。
【００７２】
このような構成によれば、噴射口１７の入口１７Ａは、オフセットする側（図面１２では、紙面に向かって噴射弁本体軸線Ｃを基準にして右側）から反オフセット側（紙面に向かって噴射弁本体軸線Ｃを基準にして左側）に向けて下り勾配となる。
【００７３】
スワラー１６の燃料通路溝１６Ｂ´から流出する旋回燃料は、スワラー１６の燃料通路溝１６Ｂ´の出口から噴射口入口１７Ａの斜面頂点エッジまでの経路Ｙ１までは、軸対称の逆円錐ホールにて燃料噴射弁本体軸線Ｃを中心に旋回するため、流速が周方向に一様と考えられる。上記の噴射口入口１７Ａの斜面頂点エッジから噴射口出口１７Ｂまでの経路Ｙ２では、噴射口１７が噴射弁本体軸線Ｃに対してオフセットすることで、旋回燃料は噴射弁本体軸線Ｃを基準にして非軸対称の経路を通る。このような旋回燃料の経路によれば、経路Ｙ２では、旋回燃料の軸線Ｃを基準にしてオフセット側の燃料通路壁面までの距離が大で反オフセット側の燃料通路壁面までの距離が小となるが、旋回燃料は旋回軸線Ｃを基準にして半径方向に外側の流速が速くなる関係から、旋回燃料は、オフセット側の燃料通路壁面に沿った流速が大で反オフセット側の燃料通路壁面の流速が小となる流速差の生じた流速分布が発生する。すなわち、旋回燃料経路Ｙ2は、旋回燃料中心Ｃに対してオフセットすることで上記のような流速差の生じる流速分布が生じる。その結果、噴射口１７から噴射される旋回燃料噴霧（コーン形噴霧）は、オフセット側の方が反オフセット側よりも流速（噴霧到達距離）・流量を大きくすることができる。
【００７４】
したがって、旋回燃料の旋回力に合わせて上記のオフセット量を設定し、且つ、適切な噴射口長さ、噴射口径を設定すれば、所望の噴霧形状、流速・流量分布を得られる。
【００７５】
図１３は、図１２の噴射口オフセットを偏向角を有する噴射口に適用した例である。
【００７６】
すなわち、ノズル１５には、弁座部７と、該弁座部７の下流に位置する噴射口１７と、該噴射口１７と弁座部７との間に位置する燃料旋回空間Ｓ（逆円錐形ホール３１）とが形成される。噴射口１７は燃料噴射弁本体軸線Ｃに対して傾きを有し、燃料旋回空間Ｓが燃料噴射弁本体軸線Ｃを中心に軸対称に設定され、噴射口の入口１７Ａ中心が燃料噴射弁本体軸線Ｃに対してオフセットしている。噴射口１７の偏向方向は、弁座部７から噴射口出口１７Ｂをみてオフセット方向である。
【００７７】
本例では、燃料噴霧を偏向させながら、偏向方向の噴霧流速（噴霧到達距離）や流量を反偏向方向よりも大きくすることができる。
【００７８】
上記のように噴射口１７が偏向している場合、偏向度合いに応じて噴射口入口１７Ａの形状を種々変えることができ噴霧分布は偏る傾向を持っているが、噴射口入口１７Ａを旋回中心Ｃに対してオフセットすることによりその傾向を強めたり弱めたりして所望の噴霧形状、流速・流量分布を得ることができる。
【００７９】
図１４は燃料噴射弁１は、その内部構造を図示していないが、今までに述べた偏向噴射口を有する燃料噴射弁の変形例で、例えば、図２に示すようなスワラー１６の燃料通路１６Ｂ´の出口を通路１６Ｂ´よりも間口を大きくして、この拡大した空間により燃料溜り空間を確保したものである。このようにすれば、燃料噴射の噴射初期に燃料溜りに存在する燃料もあわせて噴射されるが、この燃料溜りの燃料は旋回力を有さないため、その後に続く旋回燃料の内部で噴射される噴霧形態となる。このような噴霧形態を望む場合に利用されるもので、図１５にその噴霧形態を利用した筒内噴射式ガソリンエンジンの燃焼システムを示す。
【００８０】
図１６は、本発明の他の例を示す燃料噴射弁の全体構成図、図１７の（ａ）は、該燃料噴射弁に用いるノズルの全体を示す縦断面図、（ｂ）はその噴射口付近を示す部分拡大断面図である。
【００８１】
本例の燃料噴射弁も図３同様の偏向噴霧及び噴霧到達距離をＬ１＞Ｌ２の関係に設定することを意図するものである。ここでは、図３の燃料噴射弁の構造と異なる点について述べる。
【００８２】
本例は、図１７に示すように、ノズル１５のボディ先端中央部の内面にプレス加工により逆円錐形でその逆円錐先端にアールをつけた凹部３１´を形成し、この凹部面３１´に弁座部７が形成される。ノズル１５のボディ先端外面の中央部は、上記プレス加工により突出して半球状の小突起３０−１が形成され、この小突起３０−１の肉厚に燃料噴射口１７が燃料噴射弁本体軸線（ノズル軸線）Ｃに対して傾きを有して形成されていることを特徴とする。
【００８３】
本例でも、弁座の弁体接触位置から噴射口１７の出口１７Ｂまでの距離（旋回燃料経路長）は、弁座側から噴射口をみて偏向側の方が短く反偏向側の方を長くすることができ、また、噴射口１７の入口１７Ａ及び出口１７Ｂのエッジ角を非軸対称にすることにより、燃料噴霧の到達距離を偏向側を大きく反偏向側を大きくすることができ、また、その噴射口の偏向角を任意に変えることで、燃料噴霧の所望の形状、流速・噴霧分布を得ることができる。
【００８４】
また、本願は、プレス加工と噴射口の穿孔加工により小突起３０−１中に燃料噴射口を容易に形成する利点がある。
【００８５】
実施例によれば、筒内噴射式ガソリンエンジンに適用することで、一つの燃料噴射弁により成層燃焼モード、均質燃焼モードのそれぞれの合った燃料噴霧形態を作り出し、燃費向上，出力向上を図り、広範囲の回転域で安定したエンジン性能が得られる。
【００８６】
以下実施例のバックグランドを説明する。
【００８７】
高出力、低燃費、低公害という社会的要求を満たすガソリンエンジンとして、筒内噴射式の燃料噴射弁を用いたもの（筒内噴射式ガソリンエンジン）が注目されている。発想自体はかなり以前からあったが、燃焼室に直接燃料を噴射するため、実施化するためには従前は高圧噴射技術，耐圧性，耐熱性等のクリアすべき課題が残されていたが、現代における制御技術や生産技術のめざましい進歩によって、量産が可能な技術水準となり、自動車メーカ各社が市販または開発試作段階にある。
【００８８】
筒内噴射式の燃料噴射弁は、噴射弁本体をエンジンに取付けた状態において燃焼室（気筒内）に直接臨む燃料噴射口を有するノズル、燃料通路の開閉を行なう弁体、弁体を開弁（吸引）させるための電磁コイル、閉弁させるためのスプリング、磁気回路を形成するヨーク、コア等からなる。また、弁座上流で燃料に旋回力を与えるスワラー（燃料旋回手段）、動的噴射量の調整を行なうスプリングアジャスタ等を備えている。
【００８９】
このような筒内噴射式の燃料噴射弁の構造上の特徴は、噴霧液滴の微粒化（気化時間の短縮）、高噴射率化（噴射時間の短縮）のために３〜１０ＭＰａと燃料圧力が高圧になるため、０．３ＭＰａ程度である従来の筒外噴射式の燃料噴射弁と比較して耐圧性，油密性が強化されていることと、ノズルが燃焼ガスにさらされるため耐熱性、気密性が強化されている。
【００９０】
筒内噴射式ガソリンエンジンの燃焼においては、燃料噴射弁より噴射される噴霧の特性・形状は非常に重要である。エンジンの燃焼モードには、均質燃焼と成層燃焼とがあり、これらの燃焼モードを図８に示す。
【００９１】
均質燃焼はエンジンサイクルの吸気行程の間に燃料を噴射し、圧縮行程を経て点火・燃焼するまでに燃焼室内の混合気をほぼ理論空燃比（Ａ／Ｆ≒１５）に均質化するような燃焼であり、ガソリンが気化熱を奪って吸入空気を冷却するために、体積効率が向上し、また燃焼ガス温度がさがるため従来のポート噴射エンジンより高出力化できる。均質燃焼での噴霧は燃焼室全体に燃料を拡散させる必要があるため、広く均一な噴霧（混合気）が必要であり、シリンダ壁面に燃料が付着して液膜とならないよう噴霧速度は低いことが望ましい。均質燃焼モードは、加速運転や高負荷運転のように出力重視のときに行なわれる。
【００９２】
成層燃焼は圧縮行程中に燃料を噴射し、スワール，タンブルといった気流やピストン冠面のキャビティ等を利用して点火プラグ周りに燃えやすい混合気を集中させ、その周りには空気層を形成して、シリンダ内全体でみれば超希薄燃焼となるような燃焼で、燃費を大幅に向上できる。成層燃焼モードは、燃費重視であり、低負荷、アイドル運転時等に行なわれる。成層燃焼における噴霧は、点火プラグ周辺に集中させるためコンパクトな噴霧が望ましいが、背圧が高くなると噴霧の広がりは小さくなる性質があるので、高圧縮時に噴射した場合、噴霧は大気噴射に比べて広がらない。
【００９３】
上記した従来公知例の燃料噴射弁の本体は、筒内噴射方式の場合、一般に気筒上部に取り付けられるが、燃料噴射口を燃料噴射弁本体軸線を基準にして、それよりもピストン冠面のキャビティ側（反点火プラグ側）に偏向させ、キャビティに向けての偏向噴霧を行なって、成層燃焼時にキャビティの形状を利用して点火プラグ側に燃料噴霧の向きを変えるようにしてある。
【００９４】
特開平５−３３７３９号公報には、噴霧ノズルとカバーとの間にエア室を形成し、エア室からのアシストエアを各エア噴出孔を介してスワールチャンバー内に接線方向に噴出させ、噴出孔からの噴射燃料を旋回させつつ、噴出穴からエンジン気筒内に直接噴射させることが記載されている。
【００９５】
特開平６−２２１２４９号公報には、１つの燃焼室内に設けた２本のインジェクタのうち、一方のインジェクタの噴霧角を他方のインジェクタの噴霧角に比較し広角側に設定するとともに、その狭角側インジェクタを広角側インジェクタに比較して点火プラグに近づけて配置し、狭角側インジェクタは少なくとも軽負荷域で、広角側インジェクタは高負荷域で使用することが記載されている。
【００９６】
上記した成層燃焼モードでは、点火プラグ周辺に燃料噴霧を集中させることがポイントであり、均質燃焼モードでは、気筒内に広く均一に燃料噴霧を行なうことがポイントであり、また、均質燃焼、成層燃焼に共通して噴霧粒径は気化時間短縮のため小さいほど良い。さらに、燃料噴射量のばらつきをなくすことが必要である。
【００９７】
実施例の目的は、上記の要求に応えて、一つの燃料噴射弁により成層燃焼モード、均質燃焼モードのそれぞれに合った燃料噴霧形態を作り出し、燃費向上，出力向上を図り、広範囲の回転域で安定したエンジン性能が得られる筒内噴射式エンジン用の燃料噴射弁を提供することにある。
【００９８】
上記目的を達成するための実施例の実施態様を以下説明する。
【００９９】
すなわち、弁体の周囲を通過する燃料に弁座部の上流で旋回力を与える燃料旋回手段と、旋回燃料を噴射するノズルとを備えた筒内噴射式エンジン用の燃料噴射弁において、前記ノズルの噴射口から噴射される燃料噴霧は、燃料噴射弁本体軸線を基準にして一方向に偏向し、偏向する側の噴霧到達距離が大きく、偏向する側と反対側の噴霧到達距離が小さくなる噴霧形状に設定されていることを特徴とする。
【０１００】
上記構成によれば、図６に示すように燃料噴射弁１を、気筒４０の上部位置に燃料噴射弁本体軸線Ｃが気筒軸線Ａに交差（この交差は立体的，平面的いずれの交差も含む）する角度を有して取付けた場合（換言すれば燃料噴射弁１を気筒軸線Ａに垂直な面Ｂに対して斜め角度に取り付けた場合）であっても、気筒内４０に直接噴射される燃料噴霧を、燃料噴射弁本体軸線Ｃを基準にして点火プラグ４１側に偏向させることが可能になる。また、上記の点火プラグ側の偏向噴霧に加えて、点火プラグ側に偏向する噴霧到達距離Ｌ１を大きく、偏向する側と反対側の噴霧到達距離Ｌ２を小さくすることが可能になる。
【０１０１】
このような偏向噴霧によれば、成層燃焼モード時に直接的に点火プラグ周辺に燃料噴霧を集中させる度合いを高める。また、成層燃焼モードによる燃料噴射は、エンジン燃焼室（気筒内）が高圧下の圧縮行程時に行われるため、燃料噴霧の広がりが小さくなる傾向にある。この燃料噴霧が小さくなる傾向は、成層燃焼モードで要求されるコンパクトな混合気形成領域を作る上で必要であるが、あまり燃料噴霧の広がりが小さすぎると、良好な混合気形成領域が得られなくなる。実施例では噴霧方向を点火プラグ側に偏向させた分だけ燃料噴霧エリアを拡げて噴霧角を拡げることが可能なので、燃料噴霧広がりが要求以上に小さくなるのを防いで、適度に燃料噴霧を点火プラグ周辺に集中させるためのコンパクトな噴霧が得られる。均質燃焼モード時には、圧力の低い吸入行程時に燃料噴射が行われ、広がりのある燃料噴霧を得られるが、実施例では、噴霧方向を点火プラグ側に偏向させた分だけ今まで以上に燃料噴霧エリア（燃料噴霧角）をより広げることが可能になり気筒内の燃料の均質化を高める。
【０１０２】
また、要求噴霧方向の角度β１（β１は図７に示すように気筒軸線Ａに垂直な面Ｂと燃料噴霧中心線Ｄとのなす角度である）を、燃料噴射弁１のエンジン取付角β２（β２は図７に示すように気筒軸線Ａに垂直な面Ｂと燃料噴射弁本体軸線Ｃとのなす角度である）だけではエンジン取付角の制約から実現できない場合であっても、実施例では、燃料噴霧を燃料噴射弁本体軸線Ｃを基準に点火プラグ側に偏向させるので、この噴霧偏向角β３と燃料噴射弁取付角β2とを利用することで、要求噴霧方向の角度β１を得ることができる。
【０１０３】
上記の点火プラグ側の偏向噴霧に加えて、点火プラグ側に偏向する噴霧到達距離Ｌ1を大きく、偏向する側と反対側の噴霧到達距離Ｌ2を小さくした場合には、到達距離の長いＬ１の方は着火性を確保する高速成分となり、また、到達距離の短いＬ２の方は、短い分だけピストン冠面に付着するのが防止されて、未燃成分を抑制し煤排出を低減する低速成分となる。
【０１０４】
以上の作用により、成層燃焼モードに要求される超希薄燃焼を実現し、また、均質燃料モードに要求される出力向上，低スモークを実現することができる。
【０１０５】
なお、燃料噴射弁の要求噴霧方向と取付角度が適合する場合には、偏向噴霧を必要とせず、この場合には、ノズルの噴射口を偏向させず、噴射される燃料噴霧について、点火プラグ寄りの方の噴霧到達距離が大きく、反点火プラグ寄りの噴霧到達距離が小さくなるように設定すればよい。
【０１０６】
【発明の効果】
本発明によれば、筒内噴射式ガソリンエンジンの広範囲な回転域で安定したエンジン性能が得られる筒内噴射式ガソリンエンジン用の燃料噴射弁が提供される。
本発明は筒内噴射式ガソリンエンジン用の燃料噴射弁として用いて好適である。
【図面の簡単な説明】
【図１】
本発明に係る燃料噴射弁の一例を示す縦断面図。
【図２】
図１に示す燃料噴射弁のノズル部付近を示す説明図。
【図３】
（ａ）は上記燃料噴射弁に用いるノズルのボディ単体を示す縦断面図、（ｂ）はその底面図。
【図４】
図３の要部拡大断面図。
【図５】
図２のＸ−Ｘ´線矢視図。
【図６】
（ａ）は本発明の燃料噴射弁を筒内噴射式ガソリンエンジンに適用した例を示す説明図、（ｂ）はその噴射弁のノズル部付近を示す図。
【図７】
上記燃焼システムに用いる燃料噴霧の目標噴霧方向と燃料噴射弁の取付け角度の関係を示す説明図。
【図８】
成層燃焼モードと均質燃焼モードの説明図。
【図９】
図３（ａ）の要部を拡大して弁座径から燃料噴射口入口までの距離ｙと弁座から弁体先端までの距離ｚの関係を示す説明図。
【図１０】
上記ノズルの別の例をしめす部分断面図。
【図１１】
上記ノズルの別の例をしめす部分断面図。
【図１２】
上記ノズルの別の例をしめす部分断面図。
【図１３】
上記ノズルの別の例をしめす部分断面図。
【図１４】
ノズルの噴霧形態の他の例を示す説明図。
【図１５】
筒内噴射式ガソリンエンジンの別の例を示す説明図。
【図１６】
燃料噴射弁の他の実施例を示す縦断面図。
【図１７】
（ａ）は図１６の燃料噴射弁に用いるノズル単品の縦断面図、（ｂ）はその拡大断面図。
【図１８】
本発明に係るスワール付きノズルの燃料の流れの挙動を示す説明図。
【図１９】
従来のスワール付きノズルの燃料の流れの挙動を示す説明図。
【符号の説明】
１…燃料噴射弁、７…弁座、１３…弁体、１５…ノズル、１５Ｆ…ノズルの拡径
内周面、１６…燃料旋回素子（スワラー）、１７…噴射口、３０…小突起、４０
…気筒、４１…点火プラグ、４２…ピストン。